(57)【要約】【課題】本発明は、ガスまたは石油を燃料とするコンロなどに用いるバーナに関し、高い熱効率を確保し同時に優れた手入れ性を実現することを目的とする。【解決手段】  炎口部５を外周方向へ下方傾斜させ、その中央開口部１８を上方から遮蔽する外周方向に下方傾斜させた遮蔽体２０を設けたことにより、煮汁が炎口部５の中央開口部１８の近傍に落下した場合、煮汁は遮蔽体２０の下方傾斜に沿って、炎口部５上に誘導され同様にその下方傾斜によってバーナ２３の周囲へ流出するため、バーナ２３の内部に侵入する煮汁量は極めて微量となり、手入れ性を向上できる。【選択図】図１
2007218516.tif 000002
【特許請求の範囲】
【請求項１】
外周方向へ下方傾斜させた略環状の炎口部と、前記炎口部の上方に空隙を介して設けた遮蔽体を備え、遮蔽体は、炎口部の中央開口部を上方から遮蔽するとともに、外周方向へ下方傾斜させたバーナ。
【請求項２】
炎口部は、中央を基点として放射状に設けた第一の凸部とその上面に周方向に設けた第二の凸部とで構成した複数の二段型凸部を周方向に配設し、前記第二の凸部の長手方向の矩部のうち、一方の矩部に一定の周回方向で開口するスリット状炎口を設けた請求項１に記載のバーナ。
【請求項３】
遮蔽体は、その下面に炎口部の中央開口部の直径より小径の筒部を設けた請求項１または２に記載のバーナ。
【請求項４】
コンロ開口部を設けた天板と、コンロ開口部に挿通させた請求項１から３のいずれか１項に記載のバーナと、炎口部の外周から前記コンロ開口部の周囲までを被覆する被覆体と、前記被覆体をその外周側から内周側に至り上方から遮蔽する枠体状の基盤を備え、基盤は複数の支持体を設けて五徳を構成してなるコンロ。
【請求項５】
天板は、コンロ開口部の周端部を天板上面より突出させた請求項４に記載のコンロ。
【請求項６】
基盤の内周端部と被覆体の間から基盤の外周下端部と天板上面の間を連通させる隙間を設けた請求項４または５に記載のコンロ。
【請求項７】
被覆体は、外周方向へ下方傾斜させた請求項４から６のいずれか１項に記載のコンロ。
【発明の詳細な説明】
【技術分野】
【０００１】
本発明は、ガスまたは石油を燃料とするバーナとそれを用いたコンロに関する。
【背景技術】
【０００２】
従来のバーナは、特許文献１に示すようなものがある。これは、図９、図１０、図１１に示されているバーナ６０のように、上面に開口６１を設けた環状頭部６２を有するバーナ本体６３と、環状頭部６２の開口６１に着脱自在に嵌合させた炎口板６４を備え、炎口板６４は中央側に向かって下方へ傾斜させた下方傾斜面６４ａを形成するとともに、前記下方傾斜面に放射状に円周等間隔に凸部６５を設けて、凸部６５に放射状に円周等間隔に炎口６６を配設している。
【０００３】
そして、炎口６６はその長手方向の断面において、炎口６６の一端６７を炎口６６の他端６８より上方に突出させて炎口６６の上端面６９と下端面７０を構成すると共に、炎口６６の上端面６９と下端面７０に各々平面部７１、７２を構成するようにプレス成型して火炎７３を斜め上向きに噴出させるというものである。
【０００４】
これにより、炎口６６の寸法のばらつきが少なくかつ加工性が良好なバーナ６０となり、炎口６６からの火炎７３が斜め上向きとなることにより、火炎７３が円周方向へ噴き出す力と、排気熱の上昇気流化により旋回状火炎が発生して、炎口板６４の環状中央部と外周部から燃焼用空気を吸引して良好な燃焼状態を実現でき、その結果、鍋底とバーナ６０の間の距離を接近させることができるため熱効率を向上させることができるとしている。
【特許文献１】特開２０００−８８９６号公報
【発明の開示】
【発明が解決しようとする課題】
【０００５】
しかしながら、上記従来の構成では、炎口板６４は中央側に向かって下方へ傾斜した下方傾斜面６４ａを有しているため、煮こぼれの発生により鍋などから流出した煮汁は、炎口板６４上に落下するとその下方傾斜面６４ａに沿って炎口板６４の中央の開口部分に流入する。通常のコンロは、バーナ６０の外周囲に煮汁を受けるようになっており、ある程度の煮汁はここで捕捉できるが、炎口板６４の中央の開口部分に流入した煮汁は、コンロの本体内に蓄積する。
【０００６】
したがって、コンロの本体内に蓄積した煮汁の除去、清掃を行う場合は、バーナ６０を取り外す必要があり、手入れが煩雑になるなどの課題があった。
【０００７】
上記従来の技術の課題に鑑み、本発明が解決しようとする課題は、煮汁がコンロの本体内に蓄積することを抑制して手入れ性を向上させるバーナおよびそれを用いたコンロを提供することにある。
【課題を解決するための手段】
【０００８】
上記課題を解決するために本発明のバーナは、外周方向へ下方傾斜させた略環状の炎口部と、前記炎口部の上方に空隙を介して設けた遮蔽体を備え、前記遮蔽体は、前記炎口部の中央開口部を上方から遮蔽するとともに、外周方向へ下方傾斜させたものである。
【０００９】
また、本発明のコンロはコンロ開口部を設けた天板と、前記コンロ開口部に挿通させた上記本発明のバーナと、炎口部の外周からコンロ開口部の周囲までを被覆する被覆体と、前記被覆体をその外周側から内周側へ上方から遮蔽する枠体状の基盤を備え、前記基盤に
複数の支持体を設けて五徳を構成したものである。
【００１０】
このように、バーナの炎口部を中央から外周方向へ下方傾斜させたことにより、煮汁が炎口部の上に落下すると、煮汁は炎口部の下方傾斜に沿って外周方向に流出し、炎口部の中央開口部には流入しない。また、煮汁が鍋底を伝って炎口部の中央開口部の近傍に落下した場合でも、外周方向に下方傾斜した遮蔽体が炎口部の中央開口部を上方から遮蔽しているため、煮汁は遮蔽体の下方傾斜に沿って、その外側の炎口部の上方に誘導され、同様に炎口部の下方傾斜に沿って外周方向に流出する。
【００１１】
したがって、炎口部の中央開口部内に流入する煮汁の量は極めて微量で、除去、清掃する必要はほぼなくなる。また、炎口部の外周部から天板のコンロ開口部の周囲までを被覆体で被覆しているため、バーナの炎口部の外周方向に流出した煮汁は、被覆体上に移動して、しかるのち天板上に流出する。したがって、最終的に天板上に流出した煮汁は、使用者によって容易に拭き取りが可能となり、手入れ性に優れたコンロが得られる。
【発明の効果】
【００１２】
本発明のバーナは、煮汁を確実に炎口部の外周方向に誘導させて、炎口部の中央開口部への流入を防止するバーナが得られる。また、本発明のコンロは、煮汁を確実に天板上に誘導でき、使用者による容易な拭き取りが可能となり、手入れ性に優れたコンロが得られる。
【発明を実施するための最良の形態】
【００１３】
第１の発明は、外周方向へ下方傾斜させた略環状の炎口部と、炎口部の上方に空隙を介して設けた遮蔽体を備え、遮蔽体は、炎口部の中央開口部を上方から遮蔽するとともに、外周方向へ下方傾斜させたことにより、煮汁が炎口部の上に落下すると、煮汁は炎口部の下方傾斜に沿って外周方向に流出し、炎口部の中央開口部には流入しない。
【００１４】
また、煮汁が鍋底を伝って炎口部の中央開口部の近傍に落下した場合でも、外周方向に下方傾斜した遮蔽体が炎口部の中央開口部を上方から遮蔽しているため、煮汁は遮蔽体の下方傾斜に沿って、その外側の炎口部の上方に誘導され、同様に炎口部の下方傾斜に沿って外周方向に流出する。したがって、炎口部の中央開口部内に流入する煮汁の量は極めて微量で、バーナをはずして内部の煮汁を除去、清掃する必要がなく、手入れ性を向上できる。
【００１５】
第２の発明は、特に第１の発明で炎口部は、中央を基点として放射状に設けた第一の凸部とその上面に周方向に設けた第二の凸部とで構成した複数の二段型凸部を周方向に配設し、第二の凸部の長手方向の矩部のうち、一方の矩部に一定の周回方向で開口するスリット状炎口を設けたものである。
【００１６】
これにより、第一の凸部の矩面、第一の平面部、第二の凸部の矩面、第二の平面部が順次構成されて構造的に変形しにくい構成となっており、この構成を基本に各第二の凸部の一方の矩部にスリット状炎口を設けたため、直前のスリット状炎口から噴出する火炎が加熱する部分は、第二の凸部のスリット状炎口を設けていない矩面と第二の平面部の交点部近傍であり、結果としてスリット状炎口が隣接する火炎によって背後から加熱される面積を極小にすることができる。したがって、必然的にスリット状炎口の開口寸法の変化が極小になり、吸引空気量と火炎の噴出角度を一定化して良好な燃焼を維持して高い熱効率を実現することができる。
【００１７】
第３の発明は、特に第１または第２の発明で遮蔽体は、その下面に炎口部の中央開口部の直径より小径の筒部を設けたことにより、炎口部の中央開口部と筒部の間に遮蔽体の下
面に下方から上方に連通する空気通路を形成することができ、炎口部で火炎が形成されると該空気通路から燃焼用空気が上昇気流となり、遮蔽体の下面に沿って炎口部に供給され、良好な燃焼状態を維持することができる。
【００１８】
第４の発明は、コンロ開口部を設けた天板と、前記コンロ開口部に挿通させた特に第１〜第３のいずれか１つに記載のバーナと、炎口部の外周から前記コンロ開口部の周囲までを被覆する被覆体と、前記被覆体をその外周側から内周側へ上方から遮蔽する枠体状の基盤を備え、さらに基盤に複数の支持体を設けた五徳を備えたものである。
【００１９】
これにより、炎口部の外周部から天板のコンロ開口部の周囲までを被覆体で被覆することになり、バーナの炎口部の外周方向に流出した煮汁は、被覆体上に移動して、しかるのち天板上に流出する。したがって、最終的に天板上に流出した煮汁は、使用者によって容易に拭き取りが可能となり、手入れ性に優れたコンロが得られる。
【００２０】
第５の発明は、特に第４に記載の発明で、天板は、コンロ開口部の周端部を天板上面より突出させたことにより、コンロの設置状態が水平でなく、ある程度傾斜した状態であった場合に、一旦天板上に流出した煮汁がコンロ開口部から本体内に逆流することを防止することができる。
【００２１】
第６の発明は、特に第４または第５の発明で、基盤の内周端部と被覆体の間から基盤の外周下端部と天板上面の間を連通させる隙間を設けたことにより、炎口部の外周側から供給される二次空気は隙間を通過して火炎の根元部分に集中的に拡散する第一の二次空気と、基盤の上面部に接触しながら火炎の中層部から上層部に拡散する第二の二次空気とに分かれて効率的に火炎中に拡散する。
【００２２】
したがって、基盤の上方の空間は、第二の二次空気の流入と火炎および排ガスの排出のための必要最低限でよく、五徳の支持体の高さを低くして火炎温度を低下させる冷却空気の流入を極少にして、ＣＯ排出を抑えて高い熱効率を確保することができる。また、第一の二次空気は、基盤と被覆体との間の隙間を通過する際に、天板上面に接触するので、天板の温度上昇を抑えることができる。
【００２３】
第７の発明は、特に第４〜第６のいずれか１つに記載の発明で、被覆体は、外周方向へ下方傾斜させたことにより、五徳の基盤と被覆体の間の空気通路を通過する二次空気を、上昇気流として抵抗なくバーナの火炎の根元近傍に供給できると共に、被覆体上に落下した煮汁を円滑に天板上に誘導することもできる。
【００２４】
以下、本発明の実施の形態について、図面を参照しながら説明する。なお、この実施の形態によって本発明が限定されるものではない。また、本実施の形態の説明において、同一構成で同一作用効果を奏するところには同一符号を付して重複した説明を行わないものとする。
【００２５】
（実施の形態１）
図１は、本発明の実施の形態１におけるバーナの縦断面図で、図２は、同実施の形態におけるバーナの上面図および火炎形態の概念図で、図３は、同実施の形態における炎口部の拡大断面図で、図４は、同実施の形態における図２の炎口部のＡ−Ｂ−Ｃ−Ｄ断面の展開断面図および火炎形態の概念図である。
【００２６】
図１、図２、図３、図４において、１は、ステンレスなどの耐熱耐食性、加工性に優れた金属からなり、上面中央に嵌合筒部２ａ、上面外周に複数の開口部２を設けた環状頭部３と予混合ガスの流通する混合管４を一体で構成したバーナ本体で、バーナ本体１の環状
頭部３には、上面、外周面、および内周面を被覆するように略環状の炎口部５が嵌合されている。
【００２７】
また、略環状の炎口部５の内周面には、黄銅などからなる筒状の固定環６が取り付けられ、バーナ本体１の外周部と炎口部５の外周部、およびバーナ本体１と固定環６によって、予混合ガスの漏洩を防止する構成となっている。
【００２８】
さらに、炎口部５は、バーナ本体１と同様にステンレスなどの耐熱耐食性、加工性に優れた金属からなり、上面を外周に近くなるほど下方へ傾斜させた下方傾斜面にするとともに、その下方傾斜面に環状中心から外周側に向かって放射状に設けた第一の凸部７と、第一の凸部７の上面に連続して周方向に設けた第二の凸部８とで構成した二段型凸部９を周方向に一定間隔で設け、第一の凸部７の上面と第二の凸部８の上面に、各々第一の平面部１０と第二の平面部１１とを構成し、これら第一の平面部１０と第二の平面部１１は外周に近づくほど下方へ傾斜させた下方傾斜にしている。
【００２９】
また、第二の凸部８の長手方向の矩部１２、１３のうち、一方の矩部１２には、炎口部５の内周側から外周側に向かって一定の周回方向（炎口部５の上面から見て反時計回りの方向）で開口するスリット状炎口１４を設けている。
【００３０】
また、スリット状炎口１４は、炎口部５の二段型凸部９の第二の凸部８を成型すると同時に、上下の金型で破断加工することにより構成し、スリット状炎口１４の長手方向に垂直な上下の開口断面において、スリット状炎口１４の上端部１５と下端部１６は、各々第二の平面部１１、第一の平面部１０に一致させている。さらに、炎口部５の表面、特にスリット状炎口１４が開口している上面には、チタンを含有する耐熱性硬質放射塗料による赤外線放射皮膜１７が、炎口部５に焼き付けられている。
【００３１】
さらに、炎口部５の上方には、固定環６の内周部で形成された炎口部５の中央開口部１８を、空隙１９を介して遮蔽し、かつ炎口部５の中央開口部１８に近い部分も遮蔽する遮蔽体２０が固定環６に設置されている。遮蔽体２０は、その下面に中央開口部１８より小径かつ下方に伸張した筒部２１を設けて温度センサ２２を挿通させるとともに、上面は外周方向に下方傾斜させている。
【００３２】
以上のように、炎口部５と固定環６と遮蔽体２０が一体となり、バーナ本体１と着脱自在となるようにバーナ２３が構成されている。
【００３３】
以上のように構成されたバーナについて、以下動作、作用について説明する。バーナ本体１の混合管４からガスと一次空気の予混合ガスが流入し、炎口部５のスリット状炎口１４の近傍で何らかの方法により点火されて、ひとつのスリット状炎口１４ａで単一の火炎２４ａが形成されると、隣接するスリット状炎口１４からスリット状炎口１４ｂへと瞬時に火移りして、炎口部５の上面全体で燃焼状態が形成される。
【００３４】
この時、スリット状炎口１４は、炎口部５の上面から見て反時計回りの周回方向で構成されているため、単一の火炎２４ａ、２４、２４ｂは燃焼による上昇気流で斜め上向きに噴出すると同時に、炎口部５の上面から見て反時計回りの周回方向で噴出するため、炎口部５上で旋回状の火炎２４ｈを形成する。
【００３５】
また、スリット状炎口１４は、第二の凸部８を成型すると同時に上下の金型で破断加工しているため、炎口部５には、二段型凸部９の第一の平面部１０、スリット状炎口１４を設けていない矩部１３、および第二の平面部１１が連続的かつ階段状に構成され、直前のスリット状炎口１４ａから噴出する単一の火炎２４ａが加熱する部分は、主に、第二の凸
部８のスリット状炎口１４を設けていない矩部１３から第二の平面部１１へと移行する突出部分Ｒの近傍であり、結果として単一の火炎２４ａと炎口部５との接触面積によって背後から加熱される面積を極小にすることができる。
【００３６】
また、燃焼状態では、炎口部５に必然的に熱膨張が発生するが、二段型凸部９の第一の平面部１０、スリット状炎口１４を設けていない矩部１３、および第二の平面部１１が連続的かつ階段状に構成されており、構造的に熱膨張による変形を抑制するため、スリット状炎口１４の開口寸法の変化を燃焼状態に影響を及ぼさないレベルに抑えることができる。
【００３７】
さらに、炎口板５のスリット状炎口１４が開口している側の表面には、チタンを含有する耐熱性硬質放射塗料による赤外線放射皮膜１７が焼き付けられているため、炎口部５の表面での蓄熱を防止して表面温度を低下でき、結果として炎口部５の熱膨張を抑制してスリット状炎口１４の開口寸法の変化を極小にすることができる。さらに、赤外線放射皮膜１７の成分に含まれるチタンは、赤外線放射皮膜１７自体の硬度を、鉛筆硬度にして８〜９Ｈ程度にまで確保し、同時に耐熱性を有しており、炎口部５が煮汁の付着などによって汚れた場合でも、摩擦洗浄に対する耐久性が得られる。
【００３８】
一方、遮蔽体２０は、燃焼時においては、中央開口部１８との空隙１９を介して二次空気を炎口部５に供給する作用を有するが、筒部２１と中央開口部１８との間に上下に連通する空気通路２５を形成するため、上昇気流を発生させることにより有効な二次空気量を確保でき、良好な燃焼状態を維持することができる。
【００３９】
また、煮こぼれなどが発生して、煮汁が炎口部５の上に落下すると、煮汁はその炎口部５の設けてある上面の下方傾斜に沿って外周方向に流出し、炎口部５の中央開口部１８には流入しない。また、煮汁が鍋底(図示せず)などを伝って炎口部５の中央開口部１８の近傍に落下した場合でも、遮蔽体２０が炎口部５の中央開口部１８を上方から遮蔽しているため、煮汁は遮蔽体２０の上面である下方傾斜に沿って、その外側の炎口部５の上方に誘導され、同様に炎口部５の下方傾斜に沿って外周方向に流出する。
【００４０】
したがって、炎口部５の中央開口部１８内に流入する煮汁の量は極めて微量で、バーナ２３をはずして内部の煮汁を除去、清掃する必要がなく、きわめて手入れ性を向上したバーナ２３が実現できる。
【００４１】
なお、本実施の形態では炎口部５において、二段型凸部９の第一の平面部１０と第二の平面部１１、複数の二段型凸部９の間の部分を、外周に近くなるほど下方へ傾斜させた下方傾斜面にしたが、二段型凸部９の第一の平面部１０のみを外周に近くなるほど下方へ傾斜させた下方傾斜面にしても、また複数の二段型凸部９の間の部分のみは、略水平にしても本実施の形態と同様の効果を期待できるものである。
【００４２】
また、本実施の形態では複数の二段型凸部９の間に間隔があるが、この複数の二段型凸部９の間の間隔を無くして二段型凸部９が連続して周方向に形成したバーナにおいても、外周に近くなるほど下方へ傾斜させた下方傾斜面にすることにより、本実施の形態と同様の効果を期待できるものである。
【００４３】
（実施の形態２）
図５は、本発明の実施の形態１におけるバーナを装備したコンロの縦断面図で、図６は、同実施の形態２におけるコンロの燃焼状態を上面から見た概念図で、図７は、同実施の形態２のコンロにおける五徳の斜視図である。
【００４４】
図５、図６、図７において、コンロ３１は、耐熱ガラスなどで構成した天板３２のコンロ開口部３３内に、ガスなどの燃料を用いて上面で旋回状の火炎２４ｃを形成する実施の形態１で説明したバーナ２３を配設し、炎口部５の周囲からコンロ開口部３３に至るまでを被覆体３４によって被覆し、被覆体３４の外周部を遮蔽するように、金属板からなる６個の支持体３５を上面に設け、環状の枠体で構成した金属板からなる基盤３６に一体化させた五徳３７を天板３２に載置して構成している。
【００４５】
五徳３７は、基盤３６に６個の支持体３５の後端部３８を均等の間隔で配設し、支持体３５は、その後端部３８とバーナ２３の中心Ｏを結ぶ直線Ｈを基線として、支持体３５の先端部３９の延伸方向を、先端部３９に近接する旋回状の火炎２４ｃの周回方向（上面から見て反時計回り）に対して逆方向に一定の角度α（本実施の形態では約＋２０°）で傾斜させたものである。
【００４６】
このように構成した五徳３７は、ホーロー皮膜またはメッキ皮膜などにより表面処理を施している。さらに、基盤３６は外周方向に上面を下方傾斜させるとともに、同様に外周方向に下方傾斜させた被覆体３４との間に、内外周に連通する隙間４０を設けている。なお、実施の形態１と同一符号のものは同一構造を有し、説明は省略する。
【００４７】
以上のように構成されたコンロ３１について、以下動作、作用について説明する。五徳３７の支持体３５に鍋４１が載置され、バーナ２３に予混合ガスが供給されて、炎口部５で着火され、旋回状の火炎２４ｃが形成される。この時、旋回状の火炎２４ｃには、燃焼用空気として、予混合ガス中の予混合空気と、炎口部５の内外周から流入する二次空気が供給される。そして、内周側から供給される二次空気は、実施の形態１で説明した通りの作用を有する。
【００４８】
一方、炎口部５の外周側から供給される二次空気は、五徳３７の基盤３６と被覆体３４との隙間４０から火炎２４ｃの上昇気流によって吸引される第一の二次空気４２と、基盤３６の上面側から火炎２４ｃ中に拡散する第二の二次空気４３とがある。特に、第一の二次空気４２は、隙間４０を通過して火炎２４ｃの根元部分に集中的に拡散するため、火炎２４ｃのリフト現象などを抑制して安定化させることができる。
【００４９】
したがって、基盤３６の上方の空間は、第二の二次空気４３の流入と火炎２４ｃおよび排ガスの排出のための必要最低限でよく、五徳３７の支持体３５の高さを低くすることができる。これらの二次空気の作用によって、火炎２４ｃは旋回による火炎干渉を抑制して良好な燃焼状態を維持することができる。この状態で、鍋４１の底に接触する火炎２４ｃおよびその燃焼排ガスの流れ状態は、その周回方向に沿って鍋４１の底を伝って周囲に放散する。
【００５０】
この時、五徳３７の支持体３５は、その後端部３８とバーナの中心Ｏを結ぶ直線を基線として、支持体３５の先端部３９の延伸方向を、先端部３９に近接する旋回状の火炎２４ｃの周回方向（上面から見て反時計回り）に対して逆方向に一定の角度α（本実施の形態では約＋２０°）で傾斜させているため、特に支持体３５に接触する火炎２４ｃは、支持体３５の先端部３９から後端部３８側へ円滑に沿うように放散し、火炎２４ｃと支持体３５とは衝突状態には至らない。
【００５１】
したがって、火炎２４ｃおよびその燃焼排ガスは鍋４１の底および周囲などに確実に接触しながら外気中に拡散する。また、傾斜角度αは、本実施の形態では約＋２０°に設定したが、鍋４１への火炎２４、火炎２４ｃとの有効な接触状態の確保や鍋４１の安定的な載置などの観点から＋１０〜３０°の範囲が適当である。
【００５２】
また、鍋４１から煮こぼれが発生した場合、煮汁は、大きく分けて天板３２に直接落下するもの、鍋４１の底を伝って炎口部５に落下するもの、および遮蔽体２０に落下するものがある。この時、炎口部５に落下した煮汁は、大半が炎口部５の下方傾斜によって外周方向に導かれ、被覆体３４の上を伝って天板３２上に至る。また、遮蔽体２０に落下した煮汁は、遮蔽体２０の下方傾斜によって炎口部５に落下し、同様に天板３２上に至る。この時、第一の二次空気４２は、基盤３６と被覆体３４との間の隙間４０を通過する際に、天板３２上面に接触して天板３２の温度上昇を抑えることができる。
【００５３】
したがって、煮こぼれによって流出した煮汁の大半は、天板３２上に導かれるため、バーナ２３中に侵入する煮汁量を大きく減らすことができ、天板３２上に流出した煮汁も焦げ付くことが少なく容易に拭き取ることが可能である。
【００５４】
以上、説明したように、本実施の形態のコンロによれば、旋回状の火炎２４ｃと鍋４１との有効な熱交換状態を維持して高い熱効率を確保することができ、同時に優れた手入れ性を有するコンロ３１が実現できる。
【００５５】
（実施の形態３）
図８は、本発明の実施の形態２におけるコンロの縦断面図である。図８において、実施の形態２と異なる点は、コンロ５１が、天板５２のコンロ開口部５３の周端部５４に天板５３上面より突出させた突出部５５を設けたところである。なお実施の形態２と同一符号のものは同一構造を有し、説明は省略する。
【００５６】
以上のように構成されたコンロ５１について、以下その動作、作用について説明する。コンロ５１はその設置状態によって天板５２が傾斜している場合がある。このような状態で、煮こぼれが発生し、天板５２上に煮汁が流出した場合、被覆体３４と天板５２の間から煮汁がコンロ５１内部に逆流しようとするが、コンロ開口部５３の周端部５４に設けた突出部５５が堤防の作用を果たし、コンロ５１内部への煮汁の侵入を防止することができる。したがって、天板５２が水平な状態でなくても、煮汁を天板５３上に留保することが可能で、さらに手入れ性に優れたコンロ５１を実現することができる。
【産業上の利用可能性】
【００５７】
以上のように、本発明にかかるバーナおよびそれを用いたコンロは、家庭用厨房、業務用厨房に用いる調理器だけでなく、キャンピング用品などのレジャー用調理器にも幅広く応用が可能である。
【図面の簡単な説明】
【００５８】
【図１】本発明の実施の形態１におけるバーナの縦断面図
【図２】同実施の形態１におけるバーナの上面図および火炎形態の概念図
【図３】同実施の形態１におけるバーナの炎口部の拡大縦断面図
【図４】同実施の形態１における図２のバーナの炎口部のＡ−Ｂ−Ｃ−Ｄ断面の展開断面図および火炎形態の概念図
【図５】本発明の実施の形態２におけるコンロの縦断面図
【図６】同実施の形態２におけるコンロの上面図および火炎形態の概念図
【図７】同実施の形態におけるコンロに用いた五徳の斜視図
【図８】本発明の実施の形態３におけるコンロの縦断面図
【図９】従来のバーナの縦断面図
【図１０】同従来のバーナの炎口板の上面図
【図１１】同従来のバーナの炎口板の断面の展開断面図および火炎形態の概念図
【符号の説明】
【００５９】
１  バーナ本体
２  開口部
５  炎口部
７  第一の凸部
８  第二の凸部
９  二段型凸部
１２、１３  矩部
１４、１４ａ、１４ｂ  スリット状炎口
１８  中央開口部
１９  空隙
２０  遮蔽体
２１  筒部
２３  バーナ
２４、２４ａ、２４ｂ、２４ｃ  火炎
２５  空気通路
３１、５１  コンロ
３２、５２  天板
３３、５３  コンロ開口部
３４  被覆体
３５  支持体
３６  基盤
３７  五徳
５４  周端部
５５  突出部
【図１】
2007218516.tif 000003
【図２】
2007218516.tif 000004
【図３】
2007218516.tif 000005
【図４】
2007218516.tif 000006
【図５】
2007218516.tif 000007
【図６】
2007218516.tif 000008
【図７】
2007218516.tif 000009
【図８】
2007218516.tif 000010
【図９】
2007218516.tif 000011
【図１０】
2007218516.tif 000012
【図１１】
2007218516.tif 000013